(57)【要約】【課題】フィルム巻き上げ／巻き降ろし用の操作ロッドの振れ回りを簡単に防止することができ、既存の温室にも容易に設置することのできるロッド保持具を提供する。【解決手段】保持具１１０は、直径２〜３ｍｍのステンレス鋼製針金を曲げて作られる。その形状は、円を描いて交差させる様に曲げて形成された小リング部１１１、交差部１１２から先に伸びる半円部１１３，１１４、半円部１１３，１１４から前方へ伸びる一対の縦リング部１１５，１１６、縦リング部１１５，１１６から前方へ伸びる膨出部１１７，１１８、膨出部１１７，１１８同士を閉じた状態とする様に内側へ斜めに曲げた閉鎖部１１９，１２０、閉鎖部１１９，１２０から外へと斜めに折り返した誘導部１２１，１２２を備え、半円部１１３，１１４を縦樋１０２に嵌り込ませた上で、ボルト１３１、ナット１３２で締めて固定する。【選択図】  図２
0003140156.tif 000002
【実用新案登録請求の範囲】
【請求項１】
天井面を構成する合成樹脂製フィルムを巻き上げ棒を回転させることによって巻き上げ／巻き降ろしするために、前記巻き上げ棒の端部に設けられたギヤボックスから下方に垂れ下がる様に装備された操作ロッドを保持・固定しておくための器具であって、以下の構成を採用したことを特徴とする温室用フィルム開閉操作ロッドの保持具。
（１−１）一対の半円部を備えていること。
（１−２）前記一対の半円部の一端同士を連結すると共に、該半円部の他端同士を拡げようとする力に抗する付勢力を発生させるバネ性連結部を備えていること。
（１−３）前記バネ性連結部によって連結されていない側の前記半円部のそれぞれの端部から前方に伸び、該半円部の半径方向に膨らむ膨出部を備えた前方腕部を備えていること。
（１−４）前記前方腕部に形成された膨出部の先には、前記半円部の前方腕部側の端部を接触させたときに該膨出部同士による閉じた形状を形成する閉鎖部を備えていること。
（１−５）前記閉鎖部の先端側は、斜め外方向に広がり、前記操作ロッドを押し当てることによって前記閉鎖部を開く様に作用する誘導部とされていること。
（１−６）前記前方腕部には、前記半円部と前記膨出部との間の位置で前記半円部同士を閉じた円の状態に保持する腕固定部を備えていること。
（１−７）前記半円部は、前記温室の縦樋の外径よりも小さな円を構成する様に形成されていること。
【請求項２】
天井面を構成する合成樹脂製フィルムを巻き上げ棒を回転させることによって巻き上げ／巻き降ろしするために、前記巻き上げ棒の端部に設けられたギヤボックスから下方に垂れ下がる様に装備された操作ロッドを保持・固定しておくための器具であって、以下の構成を採用したことを特徴とする温室用フィルム開閉操作ロッドの保持具。
（２−１）一本の鋼製の索条を曲げることによって以下の様に形成された本体を備えていること。
（ａ）円を描いて交差させる様に曲げて形成された小リング部を備えていること。
（ｂ）前記小リング部の交差部から先に伸びる部分を互いに反対側へと湾曲させて形成した一対の半円部を備えていること。
（ｃ）前記各半円部から前方へ伸びる部分のそれぞれを、該半円部同士を合わせることによって形成される円に直交する方向に巻回して形成された一対の縦リング部を備えていること。
（ｄ）前記各縦リング部から前方へ伸びる部分を前記半円部の半径方向に外へ曲げた後に内へ曲げて形成された膨出部を備えていること。
（ｅ）前記膨出部の内へ曲げられた部分は、前記縦リング部同士を接触させたときに前記膨出部同士による閉じた形状を形成する閉鎖部とされていること。
（ｆ）前記閉鎖部から外へと斜めに折り返して形成された誘導部を備えていること。
（２−２）前記半円部は、前記温室の縦樋の外径よりも小さな円を構成する様に形成され、該半円部を縦樋に嵌り込ませた上で、前記縦リング部同士を接触させる様に該縦リングの孔同士を挿通する様にボルト・ナットで締結することによって取り付けられる様に構成されていること。
【考案の詳細な説明】
【技術分野】
【０００１】
本考案は、合成樹脂製フィルムを張って構成される温室（ビニールハウス）において換気のためにフィルムの巻き上げ／巻き降ろしを行う操作ロッドの取扱いに関するものである。
【背景技術】
【０００２】
一般に、ビニールハウスにおける換気のための機構として、内部にウォーム歯車機構を備えたギアボックス８から伸びる操作ロッド９を回転させることにより、天井面シート６の下端が固定されている巻き上げ棒７を回転させ、シートの巻き上げ／巻き降ろしを行う様に構成されていることを従来技術として紹介している（図４（Ａ）参照。）。
【０００３】
特許文献１は、かかる従来技術において、操作ロッド９が不用意に振れることをなくすために、ビニールハウスの側壁に、屋根の傾斜面２５とほぼ平行に装着枠２６を設け、この装着枠２６に操作ロッド９を保持するクランプ２７を複数個取り付けることを提案している（図４（Ｂ），（Ｃ）参照）。
【特許文献１】実開平６−７９２３２号公報（図１，図２）
【考案の開示】
【考案が解決しようとする課題】
【０００４】
しかし、特許文献１の対策を採るには、ビニールハウスの側壁に相当の長さの装着枠を設置し、巻き上げ量に応じて複数個のＵ字状クランプを取り付けなければならない。
【０００５】
本考案は、フィルム巻き上げ／巻き降ろし用の操作ロッドの振れ回りを簡単に防止することができ、既存の温室にも容易に設置することができる様にすることを目的とする。
【課題を解決するための手段】
【０００６】
上記目的を達成するためになされた本考案の温室用フィルム開閉操作ロッドの保持具は、天井面を構成する合成樹脂製フィルムを巻き上げ棒を回転させることによって巻き上げ／巻き降ろしするために、前記巻き上げ棒の端部に設けられたギヤボックスから下方に垂れ下がる様に装備された操作ロッドを保持・固定しておくための器具であって、以下の構成を採用したことを特徴とする。
（１−１）一対の半円部を備えていること。
（１−２）前記一対の半円部の一端同士を連結すると共に、該半円部の他端同士を拡げようとする力に抗する付勢力を発生させるバネ性連結部を備えていること。
（１−３）前記バネ性連結部によって連結されていない側の前記半円部のそれぞれの端部から前方に伸び、該半円部の半径方向に膨らむ膨出部を備えた前方腕部を備えていること。
（１−４）前記前方腕部に形成された膨出部の先には、前記半円部の前方腕部側の端部を接触させたときに該膨出部同士による閉じた形状を形成する閉鎖部を備えていること。
（１−５）前記閉鎖部の先端側は、斜め外方向に広がり、前記操作ロッドを押し当てることによって前記閉鎖部を開く様に作用する誘導部とされていること。
（１−６）前記前方腕部には、前記半円部と前記膨出部との間の位置で前記半円部同士を閉じた円の状態に保持する腕固定部を備えていること。
（１−７）前記半円部は、前記温室の縦樋の外径よりも小さな円を構成する様に形成されていること。
【０００７】
また、本考案の温室用フィルム開閉操作ロッドの保持具は、具体的には、以下の様に構成することができる。
（２−１）一本の鋼製の索条を曲げることによって以下の様に形成された本体を備えていること。
（ａ）円を描いて交差させる様に曲げて形成された小リング部を備えていること。
（ｂ）前記小リング部の交差部から先に伸びる部分を互いに反対側へと湾曲させて形成した一対の半円部を備えていること。
（ｃ）前記各半円部から前方へ伸びる部分のそれぞれを、該半円部同士を合わせることによって形成される円に直交する方向に巻回して形成された一対の縦リング部を備えていること。
（ｄ）前記各縦リング部から前方へ伸びる部分を前記半円部の半径方向に外へ曲げた後に内へ曲げて形成された膨出部を備えていること。
（ｅ）前記膨出部の内へ曲げられた部分は、前記縦リング部同士を接触させたときに前記膨出部同士による閉じた形状を形成する閉鎖部とされていること。
（ｆ）前記閉鎖部から外へと斜めに折り返して形成された誘導部を備えていること。
（２−２）前記半円部は、前記温室の縦樋の外径よりも小さな円を構成する様に形成され、該半円部を縦樋に嵌り込ませた上で、前記縦リング部同士を接触させる様に該縦リングの孔同士を挿通する様にボルト・ナットで締結することによって取り付けられる様に構成されていること。
【０００８】
この具体的な構成からなる本考案の温室用フィルム開閉操作ロッドの保持具によれば、縦樋に対してこれを取り付ける構成となっているので、特許文献１の様な斜めに長く延びるベース部材を温室の壁面に取り付ける必要がない。そして、一本の鋼製の索条を湾曲・屈曲させて全体を形成してあると共に、半円部を縦樋の外径よりも小さな円を構成する様に形成しているので、ボルト・ナットで締めて固定した状態では、鋼製索条のバネ性が発揮されて縦樋を締め付ける様にしっかりと固定することができる。なお、縦樋に装着したときには膨出部は閉じた状態となる。
【０００９】
そして、操作ロッドを保持する際には、誘導部にロッドを押し付けてやれば、閉鎖部が開き、ロッドを膨出部へと誘導して抱え込むことができる。抱え込んだ後は、鋼製索条のバネ性により閉鎖部を閉じた状態に戻る。よって、ロッドは周囲を保持された状態になるので、触れ回りすることがない。また、周囲を抱え込む様にして保持する構成なので、巻き上げ量に応じた種々の角度で伸びているロッドを保持することができる。また、周囲を抱え込んでいるので、ロッドが不用意に保持具から外れるということもない。
【００１０】
一方、ロッドを操作したいときは、ロッドを外へ引っ張れば、閉鎖部が押し開かれ、容易に取り出すことができる。なお、鋼製索条としては、例えば、直径２〜３ｍｍのステンレス鋼製針金などを用いるとよい。
【００１１】
なお、（２−１），（２−２）の構成からなる保持具は、（１−１）〜（１−７）の要素を備える保持具を、一本の鋼製索条を曲げて形成するものである。しかし、（１−１）〜（１−７）の要素を備える様に、帯板状の金属プレートを用いて保持具を構成してもよい。その場合、索条の場合の小リング部は、半円部側が開いた小円部として構成し、固定部は半円部と膨出部との間の部分に貫通させたボルト挿通孔で構成する様にしてもよい。
【考案の効果】
【００１２】
本考案によれば、フィルム巻き上げ／巻き降ろし用の操作ロッドの振れ回りを簡単に防止することができ、既存の温室にも容易に設置することができる。
【考案を実施するための最良の形態】
【００１３】
以下、本考案を具体化した実施形態について図１〜図３を参照しつつ詳細に説明する。
【００１４】
実施形態の保持具１１０は、図１に示す様に、温室１０１の縦樋１０２に取り付けられる。温室１０１は、アーチ連棟型の温室で、天井面には農業用レンフィルム（図示略）が張り渡される。この農業用フィルムは、谷側の端を巻き上げロッド１０３に固定される。巻き上げロッド１０３の先端にはギヤボックス１０４が取り付けられている。このギヤボックス１０４は内部にウォームギヤ機構を備えており、垂れ下がる様に装備された操作ロッド１０５を回転することにより、巻き上げ／巻き降ろしを行うことができる様になっている。操作ロッド１０５は、使用しないときには、保持具１１０に保持した状態としておく。
【００１５】
保持具１１０は、直径２〜３ｍｍのステンレス鋼製針金を曲げて作られる。その形状は、図２，図３に示す様に、円を描いて交差させる様に曲げて形成された小リング部１１１と、小リング部１１１の交差部１１２から先に伸びる部分を互いに反対側へと湾曲させて形成した半円部１１３，１１４と、半円部１１３，１１４から前方へ伸びる部分のそれぞれを、半円部１１３，１１４同士を合わせることによって形成される円に直交する方向に巻回して一対の縦リング部１１５，１１６を形成し、さらに、それぞれの縦リング部１１５，１１６から前方へ伸びる部分を半円部１１３，１１４と同様に外への膨らみを形成する様に屈曲させた膨出部１１７，１１８と、さらに、縦リング部１１５，１１６同士を接触させたときに膨出部１１７，１１８同士を閉じた状態とする様に内側へ斜めに曲げた閉鎖部１１９，１２０を形成し、さらに、この閉鎖部１１９，１２０から外へと斜めに折り返して誘導部１２１，１２２を形成してなる。なお、誘導部１２１，１２２の先端は後方へ折り返して鋭利な先端を隠す様にしてある。
【００１６】
ここで、半円部１１３，１１４は、温室１０１の縦樋１０２の外径よりも小さな円を構成する様に形成され、半円部１１３，１１４を縦樋１０２に嵌り込ませた上で、縦リング部１１５，１１６同士を接触させる様に縦リングの孔にボルト１３１を挿通させ、ナット１３２を用いて締結することによって取り付けられる。
【００１７】
実施形態の保持具１１０は、一本のステンレス鋼製の針金を湾曲・屈曲させて全体を形成してあると共に、半円部１１３，１１４を縦樋１０２の外径よりも小さな円を構成する様に形成しているので、ボルト・ナットで締めて固定した状態では、ステンレス鋼製針金のバネ性が発揮されて縦樋１０２を締め付ける様にしっかりと固定することができる。
【００１８】
そして、操作ロッド１０５を保持する際には、誘導部１２１，１２２にロッド１０５を押し付けてやれば、閉鎖部１１９，１２０が開き、ロッド１０５を膨出部１１７，１１８へと誘導して抱え込むことができる。抱え込んだ後は、針金のバネ性により閉鎖部１１９，１２０を閉じた状態に戻る。よって、ロッド１０５は周囲を保持された状態になるので、触れ回りすることがない。また、周囲を抱え込む様にして保持する構成なので、巻き上げ量に応じた種々の角度で伸びているロッド１０５を保持することができる。また、周囲を抱え込んでいるので、ロッド１０５が不用意に保持具から外れるということもない。
【００１９】
一方、ロッド１０５を操作したいときは、ロッド１０５を外へ引っ張れば、閉鎖部１１９，１２０が押し開かれ、容易に取り出すことができる。
【００２０】
本実施形態によれば、フィルム巻き上げ／巻き降ろし用の操作ロッド１０５の振れ回りを簡単に防止することができ、既存の温室にも容易に設置することができる。
【００２１】
以上、考案を実施するための最良の形態としての一実施形態を説明したが、本考案は、これに限定されるものではなく、その要旨を逸脱しない範囲内における種々の変更が可能である。
【図面の簡単な説明】
【００２２】
【図１】実施形態における温室の概略斜視図である。
【図２】実施形態の保持具の平面図である。
【図３】実施形態の保持具をボルト締めした状態を示し、（Ａ）は左側面図、（Ｂ）は平面図、（Ｃ）は右側面図、（Ｄ）は正面図である。
【図４】特許文献１の説明図である。
【符号の説明】
【００２３】
１０１・・・温室
１０２・・・縦樋
１０３・・・巻き上げロッド
１０４・・・ギヤボックス
１０５・・・操作ロッド
１１０・・・保持具
１１１・・・小リング部
１１２・・・交差部
１１３，１１４・・・半円部
１１５，１１６・・・縦リング部
１１７，１１８・・・膨出部
１１９，１２０・・・閉鎖部
１２１，１２２・・・誘導部
１３１・・・ボルト
１３２・・・ナット
【図１】
0003140156.tif 000003
【図２】
0003140156.tif 000004
【図３】
0003140156.tif 000005
【図４】
0003140156.tif 000006